(57)【要約】【課題】幅木と、隣接する２つの幅木の側端部同士を接続する接続具とを備えた幅木セットであって、壁に取り付けた際に、接続具が接続される幅木の側端部が壁から浮き上がった状態で配置されることを抑制することができる幅木セットを提案する。【解決手段】本発明の幅木セットは、幅木２と、隣接する２つの幅木２の側端部同士を接続する接続具８とを備えた幅木セットである。幅木２の裏面に、幅木２の長手方向に亘る凹部２０２を備え、接続具８の両側部に、外側方に向けて突出して、幅木２の側端部の凹部２０２に嵌合して収まる突片部８５を備える。【選択図】図１
2014070360.tif 000002
【特許請求の範囲】
【請求項１】
幅木と、隣接する２つの前記幅木の側端部同士を接続する接続具とを備えた幅木セットであって、
前記幅木の裏面に、前記幅木の長手方向に亘る凹部を備え、
前記接続具の両側部に、外側方に向けて突出して、前記幅木の前記側端部の前記凹部に嵌合して収まる突片部を備えることを特徴とする幅木セット。
【請求項２】
前記幅木は、合成樹脂にて成形された厚さ寸法が５ｍｍ以下の長尺帯状のものであり、湾曲変形可能であることを特徴とする請求項１に記載の幅木セット。
【請求項３】
前記接続具は、
外側方に向けて突出して、隣接する２つの前記幅木の前記側端部の表面をそれぞれ覆うカバー片部と、このカバー片部から裏側に向けて突出した連結片部とを備え、この連結片部の突出先端部から前記各突片部が外側方に向けて突出していることを特徴とする請求項１または２に記載の幅木セット。
【請求項４】
前記接続具は、室内の壁の入隅または出隅を挟んで配置された２つの前記幅木の前記側端部同士を接続するものであることを特徴とする請求項１〜３のいずれか１項に記載の幅木セット。
【発明の詳細な説明】
【技術分野】
【０００１】
本発明は、幅木と、隣接する２つの幅木の側端部同士を接続する接続具とを備えた幅木セットに関するものである。
【背景技術】
【０００２】
特許文献１には、一対の幅木と、この一対の幅木の間に取り付けられるコーナーカバーとが開示されている。
【０００３】
コーナーカバーは、一対の幅木の表面を被覆する表面被覆部と、一対の幅木双方の裏面と壁面との間に配置するための板状の挟持羽根部と、表面被覆部から延在して挟持羽根部に接合する羽根支持部とを備える。また、幅木は、裏面がフラットである。
【先行技術文献】
【特許文献】
【０００４】
【特許文献１】特開２０１１−２０８４６８号公報
【発明の概要】
【発明が解決しようとする課題】
【０００５】
上述した特許文献１のコーナーカバーは、一対の幅木の間に取り付けた状態で、幅木の側端部のフラットな裏面の裏側に、挟持羽根部が位置する。そのため、この一対の幅木とコーナーカバーとを壁面に取り付けると、一対の幅木の側端部は、挟持羽根部の厚みの分、壁面から浮き上がった状態で配置される。このように幅木の側端部が浮き上がって、壁面との間に不要な隙間が形成されてしまっては、この隙間にゴミが入る等の問題がある。
【０００６】
そこで、上記事情を鑑みて、本発明は、幅木と、隣接する２つの幅木の側端部同士を接続する接続具とを備えた幅木セットであって、壁に取り付けた際に、接続具が接続される幅木の側端部が壁から浮き上がった状態で配置されることを抑制することができる幅木セットを提案することを課題とする。
【課題を解決するための手段】
【０００７】
上記課題を解決する本発明の幅木セットは、幅木と、隣接する２つの前記幅木の側端部同士を接続する接続具とを備えた幅木セットであって、前記幅木の裏面に、前記幅木の長手方向に亘る凹部を備え、前記接続具の両側部に、外側方に向けて突出して、前記幅木の前記側端部の前記凹部に嵌合して収まる突片部を備えることを特徴とする。
【０００８】
また、前記幅木は、合成樹脂にて成形された厚さ寸法が５ｍｍ以下の長尺帯状のものであり、湾曲変形可能であることが好ましい。
【０００９】
また、前記接続具は、外側方に向けて突出して、隣接する２つの前記幅木の前記側端部の表面をそれぞれ覆うカバー片部と、このカバー片部から裏側に向けて突出した連結片部とを備え、この連結片部の突出先端部から前記各突片部が外側方に向けて突出していることが好ましい。
【００１０】
また、前記接続具は、室内の壁の入隅または出隅を挟んで配置された２つの前記幅木の前記側端部同士を接続するものであることが好ましい。
【発明の効果】
【００１１】
本発明の幅木セットは、幅木の側端部の裏面に形成した凹部に、接続具の側部から外側方に向けて突出させた突片部を嵌め込んで収めることができる。そのため、本発明の幅木セットは、壁に取り付けた際に、接続具が接続された幅木の側端部が壁から浮き上がった状態で配置されることを抑制することができる。
【図面の簡単な説明】
【００１２】
【図１】出隅に配される本発明の実施形態の幅木セットを示す斜視図である。
【図２】出隅に配される本発明の実施形態の幅木セットの接続具を示す斜視図であり、（ａ）は表側から視た図であり、（ｂ）は裏側から視た図である。
【図３】入隅に配される本発明の実施形態の幅木セットの接続具を示す斜視図であり、（ａ）は表側から視た図であり、（ｂ）は裏側から視た図である。
【図４】出隅に配された本発明の実施形態の幅木セットを示し、（ａ）は斜視図であり、（ｂ）は水平断面図である。
【図５】入隅に配された本発明の実施形態の幅木セットを示し、（ａ）は斜視図であり、（ｂ）は水平断面図である。
【図６】（ａ）〜（ｄ）は、本発明の実施形態の幅木セットを入隅に配置する施工手順の一例を示す斜視図である。
【図７】入隅または出隅に取り付けた本発明の実施形態の幅木セットを示す側断面図である。
【図８】（ａ）は本発明の実施形態の幅木セットの幅木を示す側面図であり、（ｂ）は同上の幅木の梱包箱の一例を示す斜視図である。
【図９】（ａ）は入隅に配された本発明の他の実施形態の幅木セットを示す水平断面図であり、（ｂ）は出隅に配された本発明の他の実施形態の幅木セットを示す水平断面図である。
【発明を実施するための形態】
【００１３】
以下、本発明を添付図面に基づいて説明する。図１に示されるように、本実施形態の幅木セットは、幅木２と、隣接する２つの幅木２の側端部同士を接続する接続具８とを備える。
【００１４】
図８（ａ）には、幅木２の側面図を示している。幅木２は、押出成形品であって、長尺帯状の本体部２０と、本体部２０から下側に向けて突出した不陸調整用のひれ状部２１を備えている。幅木２は、厚さが５ｍｍ以下であり、本体部２０及びひれ状部２１が湾曲変形可能で且つ切断可能な合成樹脂で構成されている。具体的には、幅木２として、曲げ弾性率が１４００ＭＰａ以上、１６００ＭＰａ以下の半硬質なものが用いられる。なお、幅木２の曲げ弾性率は、前記範囲を外れるものであってもよい。
【００１５】
本体部２０の材料としては、ポリプロピレン、ＡＢＳ（acrylonitrilebutadiene styrene）、ＥＶＡ（Ethylence-Vinyl Acetate）、塩化ビニル等が用いられる。幅木２のひれ状部２１は本体部２０よりも軟らかい材料によって形成される。ひれ状部２１の材料としては、例えばオレフィン系エラストマー（ＴＰＯ）等の軟質材が用いられる。
【００１６】
本体部２０の表面（前面）の上部には、本体部２０の長手方向と平行な凹溝２００が本体部２０の長手方向に亘って形成されている。凹溝２００は溝深さが１ｍｍ以下、開口幅が２ｍｍ以下に設定されており、表面側から見たときに目立ち難くなっている。凹溝２００は、溝奥側（後側）程溝幅が小さくなる断面台形状に凹んでいる。
【００１７】
本体部２０の裏面（後面）の下部には、後方に開口する凹部２０２が形成されている。凹部２０２は、本体部２０の長手方向に亘って形成された溝であって、断面矩形状に凹んでいる。凹部２０２は、溝深さが１．２ｍｍ以下、開口幅が７．５ｍｍ以下に設定されている。凹部２０２の溝幅は、凹溝２００の溝幅よりも大きくなっている。本体部２０の上端部は、裏側の角部が面取りされており、面取り部２０３が形成されている。なお、本体部２０は面取り部２０３を備えないものであってもよい。また、図示は省略するが、本体部２０の表面にはトップコート層が形成されている。また、本体部２０の裏面にはプライマー塗料が塗布されてプライマー層が形成されている。
【００１８】
ひれ状部２１は本体部２０の長手方向に亘って形成されている。ひれ状部２１は本体部２０の下端面から下方に向けて突出している。ひれ状部２１の厚み（前後幅）は下側に行く程小さくなっており、その下端部は尖っている。また、ひれ状部２１は下方に行くにつれて後方に位置するように湾曲している。
【００１９】
幅木２は、図８（ｂ）に示すように、パッド３に巻き取られた状態でパッド３と共に梱包箱４に収納される。幅木２は、梱包箱４内でパッド３をその中心を回転軸として回転させながら、梱包箱４の引出口４６から引き出すことができる。なお、幅木２は、その表面が外側となるようにパッド３に巻き取られた状態で収納される。そのため、幅木２は、梱包箱４から引き出した状態で、裏側に多少湾曲する。
【００２０】
幅木２は、接着剤５０及びピンネイル７０を用いて室内の壁５の下端部に固定される（図６参照）。ピンネイル７０は、幅木２の凹溝２００に打ち込まれることで、幅木２を壁５に固定する。
【００２１】
接続具８は、幅木２よりも曲げ弾性率が大きく曲がり難い材質で形成されている。接続具８としては、図２に示される出隅用の接続具８０と、図３に示される入隅用の接続具８１の二種類がある。接続具８０、８１は、カバー片部８２、上片部８３、連結片部８４、及び突片部８５を有している。
【００２２】
接続具８０、８１のカバー片部８２は、縦長であって壁５に沿った水平断面略Ｌ字状に形成されている。図２に示されるように出隅用の接続具８０のカバー片部８２は、その裏側に平面視で略直角の角部が形成されている。また、図３に示されるように入隅用の接続具８１のカバー片部８２は、その表側に平面視で略直角の角部が形成されている。接続具８０、８１のカバー片部８２は略直角に接続された両側の縦片部８２０で構成されている。なお、接続具８０、８１のカバー片部８２は、入隅または出隅の壁５の角度に沿った形状で形成されればよく、形成する角部は略直角とは限らない。
【００２３】
カバー片部８２（縦片部８２０）は、連結片部８４より外側方の部位が、幅木２の側端部の表面を覆う幅木カバー部８２１となっている。そして、カバー片部８２（縦片部８２０）は、幅木カバー部８２１より内側方の部位が、隣接する２つの幅木２の側端部間の隙間を表側から覆う隙間カバー部８２２となっている。
【００２４】
接続具８０、８１の上片部８３は、カバー片部８２の上縁からカバー片部８２の裏側に向けて突出している。接続具８０、８１の上片部８３は、略直角に接続された両側の横片部８３０で構成されており、平面視でカバー片部８２に沿う略Ｌ字状に形成されている。カバー片部８２及び上片部８３を設けることで、接続具８０、８１の両側には縦片部８２０とこれに接続された横片部８３０とで構成された被嵌部８７が夫々形成されている。
【００２５】
接続具８０、８１の連結片部８４は、カバー片部８２の両側の縦片部８２０の下部に夫々設けられている。各連結片部８４は縦片部８２０から裏側に向かって突出している。連結片部８４は、矩形板状に形成されている。なお、連結片部８４は、棒状であってもよい。各接続具８０の突片部８５は、各連結片部８４の先端部に設けられている。各突片部８５は、連結片部８４の突出先端部（後端部）からカバー片部８２の外側方に向かって突出しており、対応する縦片部８２０と略平行である。各突片部８５は、対応する縦片部８２０の表側から見たときに対応する縦片部８２０よりも外側方に突出している。各突片部８５と対応する縦片部８２０の間には、外側方に開口する嵌込溝８６が形成されている。
【００２６】
突片部８５は、幅木２の凹部２０２に嵌まり込んで収まる。そのため、突片部８５は、厚みが凹部２０２の溝深さと同じかそれよりも薄く、且つ、上下幅が凹部２０２の開口幅と同じかそれよりも短くなるように形成されている。そして、突片部８５は、側断面形状が、凹部２０２の内側の空間の側断面形状と同じか、この空間の側断面形状内に収まるように形成されている。本実施形態では、突片部８５は、略矩形板状であり、凹部２０２に差込しやすいように、先端部の２つの角部が面取りされている。
【００２７】
突片部８５は、対応する縦片部８２０までの距離（つまり、嵌込溝８６の開口幅）が、凹部２０２の奥面からその表側の幅木２の表面までの距離と略同じとなるように配置されている。また、突片部８５は、上片部８３までの距離が、凹部２０２から幅木２の上端面までの距離と略同じとなるように配置されている。
【００２８】
上述した接続具８０、８１は、幅木２の側端部に接続した状態で、図４及び図５に示すように、上片部８３が幅木２の上端面に重なり、カバー片部８２（縦片部８２０）の幅木カバー部８２１が幅木２の表面に重なる。そして、突片部８５が幅木２の凹部２０２に嵌まり込んで収まる。このとき、幅木２の側端部は、突片部８５と幅木カバー部８２１によって挟持される。
【００２９】
続いて、上述した幅木２と接続具８０、８１を壁５に施工する手順の一例について説明する。なお、以下では、入隅を挟んで隣接して配置される第一の幅木２２と第二の幅木２３とを接続具８１によって接続する例について説明する。
【００３０】
まず、図６（ａ）に示すように、壁５の第一の幅木２２の取り付け箇所に、接着剤５０を塗布する。このとき、壁５には、第一の幅木２２の裏面のうち凹部２０２よりも上方部位が壁５に接着されるように、接着剤５０を塗布する。
【００３１】
次いで、図６（ｂ）に示すように、梱包箱４から引き出した第一の幅木２２を、入隅付近まで接着させ、残りの部分を壁５から離した状態で、第一の幅木２２の接着させた部分をピンネイル７０を用いて壁５に固定する。その後、第一の幅木２２を切断具によって壁５の入隅に対応する位置で切断する。
【００３２】
次いで、図６（ｃ）に示すように、第一の幅木２２の切断によって形成された終端部（側端部）に、接続具８１を取り付ける。接続具８１は、カバー片部８２の幅木カバー部８２１の裏面、対応する上片部８３の下面、及び対応する突片部８５の表面に接着剤を塗布しておいたものを用いる。このとき、接続具８１の一方（図６（ｃ）における右側）の嵌込溝８６に、第一の幅木２２の終端部を外側方から挿入する。これにより、接続具８１の一方の幅木カバー部８２１の裏面は、同面に塗布された接着剤を介して第一の幅木２２の終端部の表面に接着される。そして、接続具８１の一方の突片部８５の表面は、同面に塗布された接着剤を介して第一の幅木２２の終端部の凹部２０２の奥面に接着される。また、接続具８１の一方の横片部８３０の下面は、同面に塗布された接着剤を介して第一の幅木２２の終端部の上端面に接着される。ここで、接続具８１の一方の突片部８５は、第一の幅木２２の終端部の凹部２０２内に嵌め込まれて収められる。なお、第一の幅木２２と接続具８１とは、図６（ｃ）に示すように、第一の幅木２２の表面から接続具８１のカバー片部８２の表面に亘って養生テープ９０を貼り付けることで、接着位置を固定することが好ましい。養生テープ９０は、接続具８１と第一の幅木２２が十分に接着した後に取り外す。
【００３３】
次いで、第一の幅木２２に取り付けた接続具８１に、切断によって形成された第二の幅木２３の始端部（側端部）を取り付ける。このとき、接続具８１の他方（図６（ｃ）における左側）の嵌込溝８６に、第二の幅木２３の始端部を外側方から挿入する。これにより、接続具８１の他方の幅木カバー部８２１の裏面は、同面に塗布された接着剤を介して第二の幅木２３の始端部の表面に接着される。そして、接続具８１の他方の突片部８５の表面は、同面に塗布された接着剤を介して第二の幅木２３の始端部の凹部２０２の奥面に接着される。また、接続具８１の他方の横片部８３０の下面は、同面に塗布された接着剤を介して第二の幅木２３の始端部の上端面に接着される。ここで、接続具８１の他方の突片部８５は、第二の幅木２３の始端部の凹部２０２内に嵌め込まれて収められる。なお、第二の幅木２３と接続具８１とは、同様に、第二の幅木２３の表面から接続具８１のカバー片部８２の表面に亘って養生テープ９０を貼り付けることで、接着位置を固定することが好ましい。養生テープ９０は、接続具８１と第二の幅木２３が十分に接着した後に取り外す。
【００３４】
次いで、壁５の第二の幅木２３の取り付け箇所にも同様に、接着剤５０を塗布する。このとき、壁５の第一の幅木２２の残りの取り付け箇所（入隅付近から入隅までの箇所）にも、接着剤５０を塗布してもよい。また、このとき、接続具８１の各突片部８５の裏面に接着剤を塗布する。なお、接続具８１の各突片部８５の裏面への接着剤の塗布は、各突片部８５の表面に接着剤を塗布するときに一緒に行ってもよい。
【００３５】
次いで、図６（ｄ）に示すように、第一の幅木２２の残りの部位を壁５に接着させ、接続具８１の各突片部８５の裏面を壁５の入隅に接着させ、第二の幅木２３を壁５に接着させる。この後、第一の幅木２２の終端部の凹溝２００にピンネイル７０を打ち込むことで、第一の幅木２２の終端部を壁５に固定する。そして、第二の幅木２３の凹溝２００にピンネイル７０を打ち込むことで、第二の幅木２３を壁５に固定する。
【００３６】
なお、この後、壁５に壁紙５１を貼り付ける（図７参照）。ここで、壁５に貼り付けた壁紙５１は、その下縁を幅木２の面取り部２０３の下縁に沿って切断することができる。この壁紙５１の切断を例えばカッターナイフを用いて行うとき、カッターナイフを面取り部２０３の上面に沿わせて簡単に行うことができ、これによりカッターナイフで幅木２を傷付け難くなる。次いで、面取り部２０３と壁紙５１の間にコーキング材５２を充填する。これにより、壁紙５１の下縁部の浮き上がりを防止することができる。このとき、コーキング材５２が幅木２の面取り部２０３の上端よりも上方に露出しないように、コーキング材５２の量は調整する。
【００３７】
上述した施工手順では、接続具８１に第一の幅木２２の終端部と第二の幅木２３の始端部とを両方接続した状態で壁５に取り付ける例について説明したが、これに限定されない。例えば、接続具８１に第一の幅木２２の終端部を接続した状態で壁５に取り付け、その後、接続具８１に第二の幅木２３の始端部を接続してもよい。
【００３８】
図５（ｂ）には、以上のようにして壁５の入隅に第一の幅木２２と接続具８１と第二の幅木２３とを取り付けた状態の、突片部８５を含む水平面で切断した水平断面図が示されている。図５（ｂ）に示すように、接続具８１の突片部８５は、第一及び第二の幅木２２、２３の凹部２０２に嵌め込まれて収められる。これにより、入隅において、接続具８１に接続された第一の幅木２２の側端部や第二の幅木２３の側端部が壁５から浮き上がることを抑制できる。また、このとき、接続具８１のカバー片部８２の幅木カバー部８２１により第一の幅木２２の側端部や第二の幅木２３の側端部が裏側に押さえられることによっても、第一の幅木２２の側端部や第二の幅木２３の側端部が壁５から浮き上がることを抑制できる。
【００３９】
また、図４（ｂ）には、上述した壁５の入隅への取り付けと同様の手順で、壁５の出隅に第一の幅木２２と接続具８０と第二の幅木２３を取り付けた状態の、突片部８５を含む水平面で切断した平断面図が示されている。図４（ｂ）に示すように、接続具８０の突片部８５は、第一及び第二の幅木２２、２３の凹部２０２に嵌め込まれて収められる。これにより、出隅において、接続具８１に接続された第一の幅木２２の側端部や第二の幅木２３の側端部が壁５から浮き上がることを抑制できる。また、このとき、接続具８０のカバー片部８２の幅木カバー部８２１により第一の幅木２２の側端部や第二の幅木２３の側端部が裏側に押さえられることによっても、第一の幅木２２の側端部や第二の幅木２３の側端部が壁５から浮き上がることを抑制できる。
【００４０】
また、図７には、壁５の入隅または出隅に幅木２（２２、２３）と接続具８０、８１とを取り付けた状態の、突片部８５を含む鉛直面で切断した側断面図が示されている。図７に示すように、接続具８０、８１は、突片部８５が幅木２（２２、２３）の凹部２０２に嵌合して収まることで、幅木２（２２、２３）に対する上下位置が定まる。また、接続具８０、８１は、突片部８５と幅木カバー部８２１とで幅木２（２２、２３）を挟持することで、幅木２（２２、２３）に対する前後位置が定まる。このように幅木２（２２、２３）に対して接続具８０、８１の上下及び前後位置が定まった状態で、幅木２（２２、２３）と接続具８０、８１とを壁５の下端部の所定位置に当てることができる。そのため、このとき、接続具８０、８１が壁５に当たって上方に浮き上がって幅木２（２２、２３）から外れることを抑制できる。これにより、接続具８０、８１は、幅木２（２２、２３）とともに、壁５の下端部の所定位置へと接着させやすいものとなっている。
【００４１】
なお、上述した実施形態では、接続具８０、８１は、連結片部８４を２つ備え、各連結片部８４から突片部８５が外側方に向けて突出するものであったが、これに限定されない。図９には、本発明の他の実施形態の幅木セットを壁５に取り付けた状態の、突片部８５を含む水平面で切断した水平断面図が示されている。
【００４２】
図９（ａ）、図９（ｂ）に示すように、接続具８０、８１は、連結片部８４を１つ備え、その１つの連結片部８４の突出先端部から２つの突片部８５が外側方に向けて突出している。詳しくは、連結片部８４は、水平断面略Ｌ字状のカバー片部８２の中央の角部から裏側に向けて突出している。そして、この連結片部８４の突出先端部に２つの突片部８５が形成されている。２つの突片部８５はそれぞれ、対応するカバー片部８２と略平行に、外側方に向けて突出している。
【００４３】
上述した本発明の他の実施形態の幅木セットもまた、壁５に取り付けた際に、接続具８０、８１の突片部８５が幅木２の凹部２０２に嵌合されて収まることで、接続具８に接続された幅木２の側端部が壁５から浮き上がることを抑制することができる。また、このとき、接続具８０、８１のカバー片部８２の幅木カバー部８２１により幅木２の側端部が裏側に押さえられることによっても、幅木２の側端部が壁５から浮き上がることを抑制できる。
【００４４】
以上まとめると、本発明の実施形態の幅木セットは、幅木２と、隣接する２つの幅木２の側端部同士を接続する接続具８とを備えた幅木セットである。この幅木セットは、幅木２の裏面に、幅木２の長手方向に亘る凹部２０２を備える。そして、幅木セットは、接続具８の両側部に、外側方に向けて突出して、幅木２の側端部の凹部２０２に嵌合して収まる突片部８５を備える。
【００４５】
このような構成とすることで、本発明の実施形態の幅木セットは、接続具８を幅木２に接続するにあたって、接続具８の突片部８５を、幅木２の側端部の裏面の凹部２０２に嵌合させて収めることができる。そのため、本発明の実施形態の幅木セットは、壁５に取り付けた際に、接続具８が接続された幅木２の側端部が壁５から浮き上がった状態で配置されることを抑制することができる。
【００４６】
また、本発明の実施形態の幅木セットでは、幅木２は、合成樹脂にて成形された厚さ寸法が５ｍｍ以下の長尺帯状のものであり、湾曲変形可能である。
【００４７】
このような構成とすることで、幅木２を側端部付近まで壁５に取り付けた状態でも、幅木２を湾曲させることができ、幅木２の側端部を壁５から離して、接続具８を簡単に接続することができる。その後、幅木２をまっすぐにすることで、壁５に幅木２の側端部とこれに接続された接続具８とを取り付けることができる。このようにして壁５に取り付けた際にも、接続具８が接続された幅木２の側端部が壁５から浮き上がった状態で配置されることを抑制することができる。
【００４８】
また、本発明の実施形態の幅木セットでは、接続具８は、外側方に向けて突出して、隣接する２つの幅木２の側端部の表面をそれぞれ覆うカバー片部８２と、このカバー片部８２から裏側に向けて突出した連結片部８４とを備える。この連結片部８４の突出先端部から各突片部８５が外側方に向けて突出している。
【００４９】
このような構成とすることで、本発明の実施形態の幅木セットでは、壁５に取り付けた際に、幅木２の側端部の表面を、接続具８のカバー片部８２で押さえることができる。これにより、本発明の実施形態の幅木セットは、壁５に取り付けた際に、カバー片部８２によって幅木２の側端部が壁５から浮き上がることを抑制できる。
【００５０】
また、本発明の実施形態の幅木セットでは、接続具８は、室内の壁５の入隅または出隅を挟んで配置された２つの幅木２の側端部同士を接続するものである。
【００５１】
このような構成とすることで、本発明の実施形態の幅木セットでは、室内の壁５の入隅または出隅を挟んで配置された２つの幅木２の側端部同士を接続具８で接続した際にも、幅木２の側端部が壁５から浮き上がった状態で配置されることを抑制することができる。
【００５２】
なお、上述した実施形態の幅木セットは、壁５の入隅または出隅に取り付ける接続具８０、８１を備えたものであったが、接続具８は、壁５の入隅及び出隅以外の平坦な箇所で、隣接する２つの幅木２の側端部同士を接続するものであってもかまわない。その場合、接続具８は、水平断面形状が一直線状となるように形成される。
【００５３】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００５４】
２      幅木
８      接続具
８４    連結片部
８５    突片部
８２１  幅木カバー部
２０２  凹部
【図１】
2014070360.tif 000003
【図２】
2014070360.tif 000004
【図３】
2014070360.tif 000005
【図４】
2014070360.tif 000006
【図５】
2014070360.tif 000007
【図６】
2014070360.tif 000008
【図７】
2014070360.tif 000009
【図８】
2014070360.tif 000010
【図９】
2014070360.tif 000011